(57)【要約】【課題】物品展示のディスプレイとしてまた、蒐集物品を好適かつ美麗な状態で保管し鑑賞でき、組立が容易で手指等の接触や少しの振動では転倒することもない、購入価格が安価な展示・鑑賞用ケースを提供する。【課題を解決するための手段】基板Ｓが、折曲、打抜き可能な１枚の硬質又は半硬質板状体又は硬質の紙シートよりなり、前記基板Ｓに形成されるヒンジＨを中心に、二つの開口部１ｂ、４ｂを設け、前記各々の開口部１ｂ、４ｂに透明かつ柔軟な薄膜体Ｆ、Ｆ’を張設し、それらの開口部周縁に薄膜体Ｆ，Ｆ’の周端部を溶着１ｉ、４ｉし、それぞれの薄膜体Ｆ、Ｆ’の前後に、折曲線ａ〜ｗを介して第１収納室Ｉ及び第２収納室ＩＩを形成したことを特徴とする。【選択図】図１
2005074200.tif 000002
【特許請求の範囲】
【請求項１】
主に非自立又は自立困難な小物商品類を、相対する容器体の中間で挟持し、挟持物が自立又は空中静止しているかの状態にする展示・鑑賞用ケースであって、
容器本体の基板が、折曲、打抜き可能な１枚の硬質又は半硬質板状体又は硬質の紙シートよりなり、
前記基板に形成されるヒンジを中心に、上下又は左右対称的に二つの開口部を設け、
前記各々の開口部に透明かつ柔軟な薄膜体を張設し、それらの開口部周縁に薄膜体の周端部を溶着又は接着し、
前記溶着又は接着されたそれぞれの薄膜体の前後に、折曲線を介して二つの収納室を形成した、
ことを特徴とする、小物商品等の展示・鑑賞用ケース。
【請求項２】
前記硬質又は半硬質板状体が、合成樹脂材好適には、ポリプロピレン、ポリエチレン等を素材としていることを特徴とする、請求項１記載の小物商品等の展示・鑑賞用ケース。
【請求項３】
前記薄膜体が合成樹脂フィルム又はセロハンフィル厶であることを特徴とする、請求項１ないし請求項２記載の小物商品等の展示・鑑賞用ケース。
【請求項４】
組立てられた展示・鑑賞用ケースの全体形状が、四角形、三角形又は多角形で、少なくとも水平面に載置したとき転倒することがない形状であることを特徴とする、請求項１ないし請求項３記載の小物商品等の展示・鑑賞用ケース。
【発明の詳細な説明】
【発明の詳細な説明】
【技術分野】
【０００１】本発明は、小物商品等の展示・鑑賞用ケースに関する。
【背景技術】
【０００２】近年、漫画やアニメーションの登場人物、怪獣、鳥類、動植物、仮想動物等を模した手指程度の大きさとした立体的な形象物いわゆるキャラクター又はフィギュアと呼称される小物商品類（以下、物品という）が製造、販売され、老若男女がこれらを購入、蒐集し、展示・鑑賞するという趣味が静かなブームとなっている。【０００３】これらの物品を店頭で展示する方法としては、適度の高さとした平台に平置きしたり、僅かな傾斜角を設けた斜面台に並置し、展示している。また物品購入者の鑑賞の方法としては、自立するものはケース内に自立、並立させ、非自立又は自立困難なものは、ケース内又は机上等の壁面等に、物品をもたせかけて並列させたりしている。
【発明が解決しようとする課題】
【０００４】しかしながら、物品鑑賞時において、物品のケース内への出し入れ又は、並立時に物品を把持した手指、手甲等によりすでに並立している他の物品に接触したり又は少しの振動でドミノ現象を起こし、多くの物品が転倒することがしばしば起きている。また自立困難な物品を、ケース又は壁面等に立てかける作業も面倒であるという、不具合がある。
【０００５】本発明は、かかる問題点を解決し、物品展示のディスプレイとしてまた、蒐集物品を好適かつ美麗な状態で保管し鑑賞でき、組立が容易で手指等の接触や少しの振動では転倒することもない、購入価格が安価な展示・鑑賞用ケースを提供することを目的としている。
【課題を解決するための手段】
【０００６】上記の目的を達成するために、請求項１に係る発明は、主に非自立又は自立困難な小物商品類を、相対する容器体の中間で挟持し、挟持物が自立又は空中静止しているかの状態にする展示・鑑賞用ケースであって、容器本体の基板が、折曲、打抜き可能な１枚の硬質又は半硬質板状体又は硬質の紙シートよりなり、前記基板に形成されるヒンジを中心に、上下又は左右対称的に二つの開口部を設け、前記各々の開口部に透明かつ柔軟な薄膜体を張設し、それらの開口部周縁に薄膜体の周端部を溶着又は接着し、前記溶着又は接着されたそれぞれの薄膜体の前後に、折曲線を介して二つの収納室を形成した、ことを特徴としている。
【０００７】請求項２に係る発明は、前記硬質又は半硬質板状体が、合成樹脂材好適には、ポリプロピレン、ポリエチレン等を素材としていることを特徴としている。
【０００８】請求項３に係る発明は、前記薄膜体が合成樹脂フィルム又はセロハンフィルムであることを特徴としている。
【０００９】請求項４に係る発明は、上記請求項１ないし請求項３記載の展示・鑑賞用ケースにおいて、組立てられた展示・鑑賞用ケースの全体形状が、四角形、三角形又は多角形で、少なくとも水平面に載置したとき転倒することがない形状であることを特徴としている。
【発明を実施するための最良の形態】
【００１０】以下、本発明に係る展示・鑑賞用ケース（以下、ケースＣという）の好適な実施形態を、図面を参照にして説明する。図１はケースＣを組立てた状態の斜視図、図２は基板Ｓの展開図、図３は物品ＭをケースＣ内に挟着前の斜視図、図４は図１における中央縦断面図、図５はケースＣを複数個、スタッキングした状態の正面図である。【００１１】基板Ｓは、合成樹脂材例えば、透明で硬質又は半硬質のポリプロピレン等を射出成型又は押出成形等により製作された厚さ０．２ｍｍ〜０．４ｍｍのシート板を、プレス機等により、図２に示すような外郭形状、開口部及び折曲線を形成してなり、ケースＣは、該基板Ｓを折曲線等を介し、図１〜図４に示すように、ヒンジＨを中心に第１収納室Ｉと第２収納室ＩＩを形成すると共に、前記、第１収納室Ｉの前面板１の上部には折曲線ａを介し上蓋板２が連設され、第１収納室Ｉの前面板１の下部には折曲線ｂを介し、下蓋板３が連設されている。【００１２】第１収納室Ｉは、前記前面板１の他、第１側板１ａ、１ａ’、開口部１ｂを形成した挟持板１ｂ’、上補強板１ｃ、上補強片１ｄ、１ｄ’、下補強板１ｅ、下補強片１ｆ、１ｆ’及び第１溶着板１ｇよりなっている。【００１３】第２収納室ＩＩは、後面板４、第２側板４ａ、４ａ’、開口部４ｂを形成した挟持板４ｂ’、上補強板４ｃ、上補強片４ｄ、４ｄ’、下補強板４ｅ、下補強片４ｆ、４ｆ’及び第２溶着板４ｇよりなっている。【００１４】ケースＣは、組立作業に入る前作業として、挟持板１ｂ’の開口部１ｂ及び挟持板４ｂの開口部４ｂ全面に、余白部を設けて薄膜体Ｆ、Ｆ’を張設し、開口部１ｂ及び開口部４ｂの周端部をそれぞれヒートシーラー等により挟持板１ｂ’及び挟持板４ｂに溶着１ｈ、４ｈする。薄膜体Ｆ、Ｆ’は、軟質かつ透明な合成樹脂フィルム、例えば塩化ビニール等を好適には、厚さ０．０１ｍｍ〜０．０２ｍｍのシート体としたものである。【００１５】次に、第１側板１ａの折曲線ｃ、ｄ、第１側板１ａ’の折曲線ｅ、ｆと順次、外折りし、第１溶着板１ｇをヒンジＨ近傍の挟持板１ｂ’に複数の溶着１ｉを行うと共に、第２側板４ａの折曲線ｇ、ｈ、第２側板４ａ’の折曲線ｉ、ｊと順次、外折りし、第２溶着板４ｇをヒンジＨ近傍の挟持板４ｂ’に複数の溶着４ｉを行って前作業は終了する。【００１６】ケースＣの組立は、前作業に引き続いて以下の手順で行われる。第２側板４ａ、４ａ’に延設された上補強片４ｄ、４ｄ’は、折曲線ｋ、ｍを介し内折りした後、挟持板４ｂ’に延設された上補強板４ｃを、折曲線ｎを介して外折りし続いて、下補強片４ｆ、４ｆ’を折曲線ｏ、ｐを介し内折りした後、その上に下補強板４ｅを折曲線ｑにより外折りし、第２収納室ＩＩを形成する。【００１７】第１側板１ａ、１ａ’に延設された上補強片１ｄ、１ｄ’は、折曲線ｒ、ｓを介しそれぞれ内折りした後、挟持板４ｂ’に延設された上補強板１ｃを、折曲線ｔにより外折りし続いて、下補強片１ｆ、１ｆ’を折曲線ｕ、ｖを介し内折りした後、その上に下補強板１ｅを折曲線ｗにより外折りし、第１収納室Ｉを形成する。【００１８】図３は、組立てられたケースＣに物品Ｍを挟着、保持する前の状態を示し、第２収納室ＩＩの薄膜体Ｆ’に物品Ｍを載置した後、第１収納室Ｉの前面板１の上部に連設された上蓋板２の差込片２ａを第２収納室ＩＩを構成する後面板の上方内側にまた、下蓋板３の差込片３ａを第２収納室ＩＩを構成する、後面板の下方内側に差し込むと（図１参照）、物品Ｍは、第１収納室Ｉの薄膜体Ｆと第２収納室ＩＩの薄膜体Ｆ’の弾性により、ケースＣ内で安定して挟着、保持され、店舗の店頭やショーウィンドウで展示されまた、自室等の机上や壁面に載置、並列されて鑑賞されるものである。【００１９】なお、第１収納室Ｉ及び第２収納室ＩＩには、物品Ｍに関する購入日、場所等のメモ、景品又は物品Ｍが贈答品であるときは、メッセージボックスとして活用するものである。また、本発明の実施態様におけるケースＣの全体形状は、四角形として説明したが、三角形の他、各種多角形とすることも可能である。
【発明の効果】
【００２０】本発明に係る、展示・鑑賞用ケースＣは、上記の構成をもってなるから以下の効果を奏する即ち、▲１▼ケースＣの基板Ｓは、折曲、打抜き可能な１枚の硬質又は半硬質板状体又は硬質の紙シートよりなり製作、組立が容易であるため販売価格が廉価である。▲２▼第１収納室Ｉの薄膜体Ｆと第２収納室ＩＩの薄膜体Ｆ’の弾性により、ケースＣ内で安定して挟着、保持されるので、物品Ｂ展示のディスプレイとしてまた、蒐集物品を好適かつ美麗な状態で保管し鑑賞でき、組立が容易で手指等の接触や少しの振動では転倒したりすることがない。▲３▼上蓋板２の差込片２ａ及び下蓋板３の差込片３ａは、簡易に差込と抜出しが可能であり、物品Ｂの入れ替えを幼児でもできる。▲４▼第１収納室Ｉ及び第２収納室ＩＩが形成されているので、その利用が多目的に活用できる。▲５▼図５に示すように、各種の物品Ｍを挟着、保持したケースＣを机上又は壁面前部等にスタッキングして鑑賞すれば興趣がさらに向上する。
【図面の簡単な説明】
【００２１】
【図１】本発明に係る、展示・鑑賞用ケースＣの斜視図である。
【図２】同、基板Ｓの展開図である。
【図３】同、物品Ｍを展示・鑑賞用ケースＣ内に挟着前の斜視図である。
【図４】同、図１の４−４線断面図である。
【図５】同、展示・鑑賞用ケースＣを複数個、スタッキングした状態の正面図である。
【符号の説明】
Ｃ                展示・鑑賞用ケース
Ｍ                物品
Ｓ                基板
Ｈ                ヒンジ
Ｉ                第１収納室
ＩＩ              第２収納室
Ｆ、Ｆ’          薄膜体
１                前面板
２                上蓋板
３                下蓋板
４                後面板
１ａ、１ａ’      第１側板
１ｂ              開口部
１ｂ’            挟持板
１ｇ              第１溶着板
４ａ、４ａ’      第２側板
４ｂ              開口部
４ｂ’            挟持板
４ｇ              第２溶着板
【図１】
2005074200.tif 000003
【図２】
2005074200.tif 000004
【図３】
2005074200.tif 000005
【図４】
2005074200.tif 000006
【図５】
2005074200.tif 000007